(57)【要約】【課題】電装品の未使用時又は開閉カバーのオープン時にも、ファンを回すことを可能にしつつ、インタロックスイッチを廃止して装置の小型化する。【解決手段】電源システムＳは、出力トランス７３の第二電圧Ｖ２を設定電圧に安定化させる電圧安定化回路と、電圧安定化回路９０の出力端子から引き出された第二電力供給ラインＬｏ２と、前記電圧安定化回路９０の入力端子から引き出された第三電力供給ラインＬｏ３と、電源用制御装置１００とを備える。電源用制御装置１００は開閉カバーのオープン時に、電圧安定化回路９０を停止させることにより電装品６０に対する電力供給を停止させる一方、トランジスタＱ１をオンすることによって、第三電力供給ラインＬｏ３を通じて排気ファン２５に電力を供給させる。【選択図】図４
2012141408.tif 000002
【特許請求の範囲】
【請求項１】
開閉カバーを備えた筐体内に画像形成用の電装品と、前記電装品を制御する主制御装置と、ファンを収容した画像形成装置に電力を供給する電源システムであって、
入力電圧が印加される一次コイルとタップ付きの二次コイルを有し、第一電圧と前記第一電圧より高い第二電圧を同時出力する出力トランスと、
前記出力トランスの二次側に設けられ、前記第一電圧を検出する電圧検出回路と、
前記出力トランスの一次コイルに接続された半導体スイッチング素子と、
前記第一電圧が目標電圧になるように、前記電圧検出回路の検出値に基づいて前記半導体スイッチング素子をオンオフ制御するスイッチング制御部と、
前記出力トランスの出力側にあって、前記第二電圧を設定電圧に安定化させる電圧安定化回路と、
前記出力トランスの前記タップから引き出され、前記主制御装置に前記第一電圧にて電力を供給する第一電力供給ラインと
前記電圧安定化回路の出力端子から引き出され、前記電装品に前記設定電圧にて電力を供給する第二電力供給ラインと、
前記電圧安定化回路の入力端子から引き出され、前記ファンに前記第二電圧にて電力を供給する第三電力供給ラインと、
前記第三電力供給ライン上に設けられ、通電と非通電を切り換える切換スイッチと、
前記電装品の未使用時又は前記開閉カバーのオープン時に、前記電圧安定化回路を停止させることにより前記第二電力供給ラインを通じた前記電装品に対する電力供給を停止させ、かつ前記切換スイッチをオンして前記第三電力供給ラインを通じて前記ファンに電力を供給させる電源用制御装置と、を備える電源システム。
【請求項２】
前記第三電力供給ライン上に設けられ、前記第二電圧を前記電圧安定化回路の設定電圧以下の第三電圧に降圧する降圧素子を備える請求項１に記載の電源システム。
【請求項３】
前記降圧素子と前記ファンとの間にて、前記第二電力供給ラインと前記第三供給ラインを接続する接続ラインと、
前記接続ライン上に設けられ、前記第二電力供給ラインから前記第三電力供給ラインに電流を流し、逆方向に電流が流れることを阻止する整流素子と、を備える請求項２に記載の電源システム。
【請求項４】
前記接続ラインを、前記切換スイッチから見て、前記ファン寄りの位置に設ける請求項３に記載の電源システム。
【請求項５】
前記接続ラインを、前記切換スイッチから見て、前記降圧素子寄りの位置に設ける請求項３に記載の電源システム。
【請求項６】
前記ファンに前記設定電圧以下の前記第三電圧を印加して低速回転させる場合に、
前記制御装置は、前記電圧安定化回路を先に出力状態にしてから、前記切換スイッチをオンすることにより、前記ファンに対して前記第二電力供給ライン側から始動電流を流し、
前記始動電流の供給により前記ファンが始動したら、前記電圧安定化回路の出力を停止して前記ファンに対する電力供給経路を第二電力供給ライン側から前記第三電力供給ライン側に切り換える請求項３ないし請求項５に記載の電源システム。
【請求項７】
開閉カバーを備えた筐体と、
画像形成用の電装品と、
前記電装品を制御する主制御装置と、
ファンと、
請求項１ないし請求項６に記載の電源システムとを備え、
前記主制御装置に前記第一電力供給ラインを通じて前記第一電圧にて電力を供給し、
前記電装品に前記第二電力供給ラインを通じて前記設定電圧にて電力を供給し、
前記電装品の未使用時又は前記開閉カバーのオープン時に、前記ファンに前記第三電力供給ラインを通じて電力を供給する画像形成装置。
【発明の詳細な説明】
【技術分野】
【０００１】
本発明は、電源システム及び画像形成装置に関する。
【背景技術】
【０００２】
従来より、画像形成装置は安全性の観点からカバーオープン時に、モータや高圧電源基板などの電装品を停止させている。しかし、ファンまで止めてしまうと、定着器の熱が広がり、定着器周辺に配置された周辺部品の温度を上昇させる。この点を鑑み、下記特許文献１の画像形成装置では、駆動負荷用電源に対してファンモータと高圧電源モータドライブ回路を並列接続している。そして、カバーオープン時（ドアオープン時）に、高圧電源モータドライブ回路の入力段に配置したインタロックスイッチをオフさせることで、高圧電源モータドライブ回路への通電だけを停止させるようにしている。このようにすれば、カバーオープン中にファンモータを回すことが出来るので、定着器の熱を外部に放熱でき、周辺部品の温度上昇を抑制できる。
【先行技術文献】
【特許文献】
【０００３】
【特許文献１】特開２００２−０１９２３２号公報
【発明の概要】
【発明が解決しようとする課題】
【０００４】
しかしながら、上記特許文献１に記載の技術は、インタロックスイッチを使用していることから、装置の大型化を招く恐れがあった。
本発明は上記のような事情に基づいて完成されたものであって、電装品の未使用時又は開閉カバーのオープン時にも、ファンを回すことを可能にしつつ、インタロックスイッチを廃止して、装置の小型化を実現させることを目的とする。
【課題を解決するための手段】
【０００５】
本明細書によって開示される電源システムは、開閉カバーを備えた筐体内に画像形成用の電装品と、前記電装品を制御する主制御装置と、ファンを収容した画像形成装置に電力を供給する電源システムであって、入力電圧が印加される一次コイルとタップ付きの二次コイルを有し、第一電圧と前記第一電圧より高い第二電圧を同時出力する出力トランスと、前記出力トランスの二次側に設けられ、前記第一電圧を検出する電圧検出回路と、前記出力トランスの一次コイルに接続された半導体スイッチング素子と、前記第一電圧が目標電圧になるように、前記電圧検出回路の検出値に基づいて前記半導体スイッチング素子をオンオフ制御するスイッチング制御部と、前記出力トランスの出力側にあって、前記第二電圧を設定電圧に安定化させる電圧安定化回路と、前記出力トランスの前記タップから引き出され、前記主制御装置に前記第一電圧にて電力を供給する第一電力供給ラインと、前記電圧安定化回路の出力端子から引き出され、前記電装品に前記設定電圧にて電力を供給する第二電力供給ラインと、前記電圧安定化回路の入力端子から引き出され、前記ファンに前記第二電圧にて電力を供給する第三電力供給ラインと、
前記第三電力供給ライン上に設けられ、通電と非通電を切り換える切換スイッチと、
前記電装品の未使用時又は前記開閉カバーのオープン時に、前記電圧安定化回路を停止させることにより前記第二電力供給ラインを通じた前記電装品に対する電力供給を停止させ、かつ前記切換スイッチをオンして前記第三電力供給ラインを通じて前記ファンに電力を供給させる電源用制御装置と、を備える。
【０００６】
また、上記電源システムにおいて、前記第三電力供給ライン上に、前記第二電圧を前記電圧安定化回路の設定電圧以下の第三電圧に降圧する降圧素子を設けるようにしてもよい。
【０００７】
また、上記電源システムにおいて、前記降圧素子と前記ファンとの間にて、前記第二電力供給ラインと前記第三供給ラインを接続する接続ラインと、前記接続ライン上に設けられ、前記第二電力供給ラインから前記第三電力供給ラインに電流を流し、逆方向に電流が流れることを阻止する整流素子と設ける構成にしてもよい。
【０００８】
また、上記電源システムにおいて、前記接続ラインを、前記切換スイッチから見て、前記ファン寄りの位置に設けるようにしてもよい。
【０００９】
また、上記電源システムにおいて、前記接続ラインを、前記切換スイッチから見て、前記降圧素子寄りの位置に設けるようにしてもよい。
【００１０】
また、上記電源システムにおいて、前記ファンに前記設定電圧以下の前記第三電圧を印加して低速回転させる場合に、前記制御装置は、前記電圧安定化回路を先に出力状態にしてから、前記切換スイッチをオンすることにより、前記ファンに対して前記第二電力供給ライン側から始動電流を流し、前記始動電流の供給により前記ファンが始動したら、前記電圧安定化回路の出力を停止して前記ファンに対する電力供給経路を第二電力供給ライン側から前記第三電力供給ライン側に切り換えるようにしてもよい。
【００１１】
また、本明細書によって開示される画像形成装置は、開閉カバーを備えた筐体と、画像形成用の電装品と、前記電装品を制御する主制御装置と、ファンと、請求項１ないし請求項６に記載の電源システムとを備え、前記主制御装置に前記第一電力供給ラインを通じて前記第一電圧にて電力を供給し、前記電装品に前記第二電力供給ラインを通じて前記設定電圧にて電力を供給し、前記電装品の未使用時又は前記開閉カバーのオープン時に、前記ファンに前記第三電力供給ラインを通じて電力を供給する。
【発明の効果】
【００１２】
本発明によれば、電装品の未使用時又は開閉カバーのオープン時に、電圧安定化回路を停止することで第二電力供給ラインを通じた電装品への電力供給を断つようにした。そのため、インタロックスイッチを廃止することが可能となり、装置の小型化を実現させることが出来た。また、ファンには第二電力供給ラインとは別の第三電力供給ラインを通じて電力を供給するようにしてあるから、電装品の未使用時又は開閉カバーのオープン時にも、ファンを回すことが可能である。
【図面の簡単な説明】
【００１３】
【図１】本発明の実施形態１に係るプリンタの内部構成を表す概略断面図
【図２】プリンタの電気的構成を示すブロック図
【図３】電源装置の回路図
【図４】電源装置から各機器への電力供給経路を示す図
【図５】電圧安定化回路の回路図
【図６】各モードについて各機器の動作状態や電流値、電圧値の大きさをまとめた図
【図７】本発明の実施形態２に係る始動シーケンスを説明するタイミングチャート図
【図８】本発明の実施形態３に係る電源装置から各機器への電力供給経路を示す図
【図９】電源装置から各機器への電力供給経路の変形例を示す図
【発明を実施するための形態】
【００１４】
＜実施形態１＞
本発明の実施形態１を図１ないし図６によって説明する。
【００１５】
１．プリンタの全体構成
図１は、本実施形態のプリンタ１（本発明の「画像形成装置」の一例）の内部構成を表す概略断面図である。以下の説明では、各構成要素について、色毎に区別する場合は各部の符号にＢ（ブラック）、Ｙ（イエロー），Ｍ（マゼンタ），Ｃ（シアン），の添え字を付し、区別しない場合は添え字を省略する。
【００１６】
プリンタ１は、ボックス状をなす本体ケーシング（本発明の「筐体」の一例）１０を備えている。本体ケーシング１０の内部には、給紙部３、画像形成部５、搬送機構７、定着器２０、排気ファン（本発明の「ファン」の一例）２５が収容されている。給紙部３はプリンタ１の最下部に設けられており、用紙を収容するトレイ１７と、ピックアップローラ１９とを備える。トレイ１７に収容された用紙は、ピックアップローラ１９により１枚ずつ取り出され、搬送ローラ１１、レジストレーションローラ１２を介して搬送機構７に送られる。
【００１７】
搬送機構７は、用紙を搬送するものであり、プリンタ１内において給紙部３の上側に設置されている。搬送機構７は、駆動ローラ３１、従動ローラ３２、およびベルト３４を含む。駆動ローラ３１が回動すると、ベルト３４は、感光ドラム４１Ｂ、４１Ｙ、４１Ｍ、４１Ｃと対向する側の表面が、図１中の右方向から左方向へ移動する。これにより、レジストレーションローラ１２から送られてきた用紙が、画像形成部５下へと搬送される。
【００１８】
画像形成部５は４個のプロセスユニット４０Ｂ、４０Ｙ、４０Ｍ、４０Ｃおよび４個の露光装置４９Ｂ、４９Ｙ、４９Ｍ、４９Ｃを含む。各プロセスユニット４０Ｂ、４０Ｙ、４０Ｍ、４０Ｃは、用紙の搬送方向（図１の左右方向）に一列状に配置されている。
【００１９】
各プロセスユニット４０Ｂ〜４０Ｃは同一構造であり、各色の感光ドラム４１Ｂ〜４１Ｃ、各色のトナーを収容するトナーケース４３、現像ローラ４５Ｂ〜４５Ｃ及び帯電器５０Ｂ〜５０Ｃを含む構造となっている。
【００２０】
各帯電器５０Ｂ〜５０Ｃは、スコロトロン型の帯電器であり、シールドケース５１、ワイヤ５３を有する。シールドケース５１は、感光ドラム４１の回転軸方向に長い角筒型をしている。ワイヤ５３は、シールドケース５１内において回転軸方向に張り渡されており、後述する高圧電源回路６１により帯電電圧が印加される。
【００２１】
ワイヤ５３は帯電電圧の印加により、シールドケース５１内においてコロナ放電を生じさせる。そして、コロナ放電により生じたイオンが感光ドラム４１側に放電電流として流れることで、感光ドラム４１の表面を一様に正極性に帯電させる（帯電プロセス）。
【００２２】
各露光装置４９Ｂ、４９Ｙ、４９Ｍ、４９Ｃは、例えば、感光ドラム４１Ｂ〜４１Ｃの回転軸方向に沿って一列状に並んだ複数の発光素子（例えばレーザ光源）を有し、外部より入力される印刷データに応じて発光することにより、各感光ドラム４１Ｂ〜４１Ｃの表面に静電潜像を形成する機能を果たす（露光プロセス）。
【００２３】
現像ローラ４５Ｂ、４５Ｙ、４５Ｍ、４５Ｃは、トナーケース４３の下部にて供給ローラ４６と対向配置されており、高圧電源回路６１により現像電圧が印加される。この現像ローラ４５Ｂ〜４５Ｃは、供給ローラ４６を通じて供給されるトナーを、現像電圧の作用により正極性に帯電させながら、感光ドラム４１Ｂ〜４１Ｃ上へ供給する機能を果たす（現像プロセス）。
【００２４】
また、ベルト３４には、４つの感光ドラム４１Ｂ〜４１Ｃに対応して、４つの転写ローラ３３Ｂ〜３３Ｃが設けられている。各転写ローラ３３はベルト３４を間に挟みつつ各感光ドラム４１Ｂ〜４１Ｃに対して向かい合う位置に配置されている。そして、各転写ローラ３３に、転写バイアスを印加することにより、各感光ドラム４１Ｂ〜４１Ｃの表面上に担持された各色のトナー像を用紙上に転写できる（転写プロセス）。
【００２５】
また、画像形成部５の後方には定着器２０と排気ファン２５が設けられている。定着器２０は、加熱ローラ２１と、加熱ローラ２１に対して対向配置された加圧ローラ２３とを備えてなる。加熱ローラ２１は内部にヒータ（ハロゲンランプ）２２を収容しており、表面が定着温度に加熱される構成となっている。この定着器２０は用紙上に転写されたトナー像を用紙に熱定着させるものである（定着プロセス）。そして、本体ケーシング１０の後端上部には排紙ローラ２７が設けられており、トナー像定着後の用紙を本体ケーシング１０の上面壁に形成された排紙トレイに排紙するようになっている。
【００２６】
排気ファン２５は、定着器２０の側面上部と対面配置されている。この排気ファン２５は、本体ケーシング１０内の空気を通気孔（図略）を通じて外部に排出することで、例えば、熱源である電装品６０（主として定着器２０）が発生する熱、帯電器５０Ｂ〜５０Ｃで発生するオゾンなどを外部に排出している。
【００２７】
また、本体ケーシング１０の前面（図１の右面）はアクセス口とされ、そこには、フロントカバー（本発明の「開閉カバー」の一例）１５が回動操作可能に設置されている。このフロントカバー１５を開閉することで、アクセス口を閉止、或いは開放出来るようになっている。
【００２８】
図２はプリンタ１の電気的構成を示すブロック図である。プリンタ１は画像形成用の電装品６０と、排気ファン２５の動力源となるファンモータ２６と、通信部６７ａと、画像メモリ６７ｂと、電源システムＳとを備えている。これら電装品６０、ファンモータ２６、通信部６７ａ、画像メモリ６７ｂ、電源システムＳはいずれも本体ケーシング１０に収容されている。
【００２９】
画像形成用の電装品６０は、高圧電源回路６１、各ローラ１９、１２、２７、３１、３３、４５や感光ドラム４１の動力源となるメインモータ６３、加熱ローラ２１を加熱するヒータ２２、露光装置４９Ｂ〜４９Ｃのレーザ光源を駆動するレーザ駆動回路６５などから構成されている。
【００３０】
高圧電源回路６１は複数の電圧生成回路（図略）を備えており、帯電器５０Ｂ〜５０Ｃに印加する帯電電圧を発生させると共に、各現像ローラ４５Ｂ〜４５Ｃに印加する現像電圧、各転写ローラ３３Ｂ〜３３Ｃに印加する転写電圧を発生させるものである。
【００３１】
通信部６７ａはＰＣ等の情報端末装置との間で通信を行うものであり、情報端末装置から印刷指示や印刷データを受信する機能を担う。また、画像メモリ６７ｂは、情報端末装置から受信した印刷データを一時記憶するものである。
【００３２】
電源システムＳは、電源装置７０と制御装置１００とから構成されている。電源装置７０はプリンタ１の電源となるものであり、画像形成用の電装品６０、通信部６７ａ、画像メモリ６７ｂ及び制御装置１００に対して電力を供給する。また、制御装置１００には各種データを記憶するための内部メモリ（図略）や、タイマ１１０が設けられている。尚、制御装置１００は本発明の「主制御装置」、「電源用制御装置」の一例である。
【００３３】
上記プリンタ１は、通信部６７ａが情報端末装置から印刷指示を受けて印刷データを受信すると、制御装置１００が、画像形成用の電装品６０を所定の手順で適宜動作させることにより、プリンタ１に帯電プロセス、露光プロセス、現像プロセス、転写プロセス、定着プロセスからなる印刷処理を順に実行させる。
【００３４】
これにより、受信した印刷データを用紙に印刷することができる。尚、画像形成用の電装品６０とファンモータ２６の動作電圧（定格電圧）は２４Ｖである。これに対して通信部６７ａ、画像メモリ６７ｂ及び制御装置１００の動作電圧は３．３Ｖである。
【００３５】
２．電源システムの回路説明
電源装置７０はいわゆるスイッチング電源であって、図３に示すように、整流平滑回路７１と、出力トランス７３と、ＦＥＴ（電界効果トランジスタ）７５と、電圧発生回路７６、整流平滑回路７７と、電圧検出回路７９と、制御ＩＣ８０と、電圧安定化回路９０とを備える。尚、ＦＥＴ７５が本発明の「半導体スイッチング素子」の一例であり、制御ＩＣ８０が、本発明の「スイッチ制御部」の一例である。
【００３６】
整流平滑回路７１はコンデンサインプット型であり、ＡＣ電源７０Ａの交流電圧（例えば、２２０Ｖ）を整流するブリッジダイオードＤ１と、整流後の電圧を平滑化するコンデンサＣ１とから構成されている。そして、整流平滑回路７１の出力側には、出力トランス７３が設けられていて、交流電圧を整流平滑化した入力電圧Ｖｉｎ（例えば、約ＤＣ３２２Ｖ）が、入力ラインＬｉｎを通じて出力トランス７３の一次コイルＮ１に印加される構成となっている。
【００３７】
ＦＥＴ７５はＮチャンネルのＭＯＳＦＥＴであり、ドレインＤを一次コイルＮ１に接続すると共に、ソースＳを接地している。そして、ＦＥＴ７５のゲートＧは、制御ＩＣ８０の出力ポートＯＵＴに接続されている。以上のことから、制御ＩＣ８０が出力ポートＯＵＴを通じてゲートＧにオンオフ信号（ＰＷＭ信号）を出力すると、ＦＥＴ７５はオンオフ動作する。これにより、出力トランス７３の一次側が発振して、出力トランス７３の二次コイルＮ２に電圧を誘起させる構成となっている。
【００３８】
そして、出力トランス７３は、二次コイルＮ２にタップＴＰを設けており、電圧値の異なる２つの電圧を出力する構成となっている。すなわち、二次コイルＮ２の一端（図３中の（ａ）端）は共通端子（基準端子０Ｖ）となっていて、タップＴＰを出力端子とする第一電圧Ｖ１と、二次コイルＮ２の他端（図３中の（ｂ）端）を出力端子とし第一電圧Ｖ１より高い第二電圧Ｖ２の２つの電圧を同時出力（同時発生）する構成となっている。
【００３９】
尚、本明細書では、第一電圧Ｖ１用の出力ラインを第一電力供給ラインＬｏ１と呼び、第二電圧Ｖ２用の出力ラインを第二電力供給ラインＬｏ２と呼ぶ。また、第二電圧Ｖ２用の出力ラインのうち、電圧安定化回路９０の入力端子から引き出されたものを、第三電力供給ラインＬｏ３と呼ぶ。
【００４０】
整流平滑回路７７は出力トランス７３の二次側に設けられていて、ダイオードＤ３とコンデンサＣ３とから構成されている。この整流平滑回路７７は、出力トランス７３の出力電圧を整流平滑化するものである。この実施形態では、出力トランス７３は第一電圧Ｖ１と第二電圧Ｖ２を出力することから、整流平滑回路７７は第一電圧Ｖ１側（第一電力供給ラインＬｏ１側）と、第二電圧Ｖ２側（第二電力供給ラインＬｏ２）のそれぞれに設けられている。
【００４１】
また、第一電力供給ラインＬｏ１と共通ラインＬｃの間には電圧検出回路７９が設けられている。電圧検出回路７９は、出力トランス７３から出力される第一電圧（整流平滑後の電圧）Ｖ１を検出する機能を有するものであって、一対の検出抵抗Ｒ１、Ｒ２と、シャントレギュレータＲＥ１と、シャントレギュレータＲＥ１と直列接続された発光ダイオードＬＥＤとから構成されている。
【００４２】
検出抵抗Ｒ１、Ｒ２は、第一電力供給ラインＬｏ１と共通ラインＬｃ間に設けられていて、第一電圧Ｖ１を抵抗比により分圧した分圧電圧Ｖｇを検出するものである。シャントレギュレータＲＥ１は基準電圧（シャントレギュレータ内部に設定された内部電圧で一例として２．５Ｖ）と、分圧電圧Ｖｇとのレベル差に応じた電流を流す。そのため、発光ダイオードＬＥＤに、レベル差に応じた電流が流れ、発光ダイオードＬＥＤは、基準電圧と分圧電圧Ｖｇとのレベル差に応じた光量の光信号を出力する。そして、発光ダイオードＬＥＤは、制御ＩＣ８０のフィードバックポートＦＢに接続されたフォトトランジスタＰＴと共に、フォトカプラを構成している。
【００４３】
そのため、発光ダイオードＬＥＤの光信号はフォトトランジスタＰＴにて電気信号に戻される。これにて、基準電圧に対する分圧電圧Ｖｇのレベル差を示す信号（以下、フィードバック信号）が、制御ＩＣ８０のフィードバックポートＦＢにフィードバックされる構成となっている。
【００４４】
制御ＩＣ８０は、電圧発生回路７６に接続される電源ポートＶｃｃと、ツェナーダイオードＺＤ１を介して入力ラインＬｉｎに接続される高電圧入力ポートＶＨと、電圧検出回路７９からのフィードバック信号が入力されるフィードバックポートＦＢと、出力ポートＯＵＴの４つのポートを備えている。
【００４５】
電圧発生回路７６は、出力トランス７３の一次側に設けられた補助コイルＮ３に誘起される電圧を、ダイオードＤ２とコンデンサＣ２により平滑化するものである。この電圧発生回路７６は、概ね２０Ｖの電圧を発生し、制御ＩＣ８０の電源となる。
【００４６】
制御ＩＣ８０は、ＰＷＭコンパレータ（図略）と三角波を発振する発振回路（図略）を備えており、フィードバックポートＦＢにフィードバック信号が入力されると、フィードバック信号に応じたＰＷＭ信号を生成し、出力ポートＯＵＴを通じてＦＥＴ７５のゲートＧに出力する。これにより、第一電圧Ｖ１が目標電圧に制御される構成となっている。尚、この実施形態では、目標電圧を３．３Ｖに設定してあり、第一電圧Ｖ１が３．３Ｖになるように、出力トランス７３が出力制御されるようになっている。
【００４７】
このように電源装置７０は、電圧の低い第一電圧Ｖ１側にフィードバックをかけている。一方、フィードバックのかけられない第二電圧Ｖ２側は、最低電圧が設定電圧である２４Ｖになるように、コイルの巻き線比等の回路定数が設定されている。
【００４８】
そして、フィードバックのかけられていない第二電圧Ｖ２は、出力トランス７３の出力電流により電圧値が変動することが知られている（非安定）。具体的には、二次コイルＮ２のタップＴＰから流れ出る出力電流（電圧３．３Ｖの電流）を「Ｉ１」とし、二次コイルＮ２の他端（ｂ端）から流れ出る出力電流（電圧２４Ｖの電流）を「Ｉ２」とすると、図６に示すように、出力電流Ｉ１が２Ａ程度であり、また、出力電流Ｉ２が３Ａ程度である通常出力モード中は、概ね２４Ｖに安定する。一方、待機モード中やフロントカバー開時など、出力電流Ｉ２がほとんど流れない状態（約０．０６Ａ程度）では、第二電圧Ｖ２は上昇傾向となり約３２Ｖとなる。このように出力電流Ｉ２がほとんど流れない状態になると、第二電圧Ｖ２が上昇するのは、以下の理由による。すなわち、図３中の（ｂ）端では、トランスの磁束の漏れインダクタンスが生じやすい。そのため、出力電流Ｉ２が少ない場合には、磁束の漏れが少なくなるので電圧を上げる方向に働き、それとは反対に出力電流Ｉ２が多い場合には、磁束の漏れが多くなるので、電圧を下げる方向に働くからである。
【００４９】
そのため、第二電力供給ラインＬｏ２と共通ラインＬｃ間に電圧安定化回路９０を設けて、非安定な第二電圧Ｖ２を設定電圧である２４Ｖに安定させる構成をとっている。
【００５０】
以上説明したように、本電源装置７０には、電源電圧３．３Ｖ（本発明の「第一電圧」）にて電力を供給する第一電力供給ラインＬｏ１と、電圧安定化回路９０の出力端子から引き出され電源電圧２４Ｖ（本発明の「設定電圧」）にて電力を供給する第二電力供給ラインＬｏ２が設けられている。そして、図３に示すように、電圧安定化回路９０の入力端子から第三電力供給ラインＬｏ３が引き出されている。この第三電力供給ラインＬｏ３は、電圧安定化前の第二電圧Ｖ２にて電力を供給する電力供給ラインとなっている。
【００５１】
図４に示すように、制御装置１００は第一電力供給ラインＬｏ１に接続されていて、第一電力供給ラインＬｏ１を通じて３．３Ｖの電源電圧で、電源装置７０から電力供給される構成となっている。尚、図４中では、通信部６７ａ、画像メモリ６７ｂは省略されているが、通信部６７ａ、画像メモリ６７ｂについても、制御装置１００と同様に第一電力供給ラインＬｏ１に接続されていて、第一電力供給ラインＬｏ１を通じて３．３Ｖの電源電圧で、電源装置７０から電力供給される構成となっている。
【００５２】
また、プリンタ１の各電装品６０は第二電力供給ラインＬｏ２に接続されていて、第二電力供給ラインＬｏ２を通じて電源電圧２４Ｖで電源装置７０から電力供給される構成となっている。また、排気ファン２５の動力源となるファンモータ２６は、第三電力供給ラインＬｏ３に接続されていて、第三電力供給ラインＬｏ３を通じて電源装置７０から電力供給される構成となっている。
【００５３】
また、第三電力供給ラインＬｏ３にはツェナーダイオードＺＤ２とトランジスタＱ１が設けられている。ツェナーダイオード（本発明の「降圧素子」に相当）ＺＤ２はカソードを電源装置７０側に接続し、アノードをファンモータ２６側に接続しており、降伏電圧が約２０Ｖとなっている。このツェナーダイオードＺＤ２は、図６に示すように、待機モード時、フロントカバー開時において、第二電圧Ｖ２を３２Ｖから１２Ｖ（電圧安定化回路９０の設定電圧２４Ｖの約半分の電圧）に降圧する機能を果たしている。なお、この「１２Ｖ」が本発明の「第三電圧」の一例である。
【００５４】
トランジスタ（本発明の「切換スイッチ」に相当）Ｑ１はＰＮＰトランジスタであり、エミッタをツェナーダイオードＺＤ２のアノードに接続し、コレクタをファンモータ２６側に接続している。そして、ベースはドライブ回路１２０を介して制御装置１００の出力ポートＰ４に接続されている。
【００５５】
また、第二電力供給ラインＬｏ２と第三電力供給ラインＬｏ３の両ライン間には、接続ラインＬａが設けられている。接続ラインＬａは、トランジスタＱ１から見て、ツェナーダイオードＺＤ２側に設けられている。別の言い方をすれば、接続ラインＬａはトランジスタＱ１から見て電源装置７０側に設けられている。また、接続ラインＬａ上には、ダイオード（本発明の「整流素子」に相当）Ｄ５が設けられている。ダイオードＤ５は、アノードを第二電力供給ラインＬｏ２側に接続し、カソードを第三電力供給ラインＬｏ３側に接続している。そのため、第二電力供給ラインＬｏ２から第三電力供給ラインＬｏ３側に流れる電流が順方向となる。逆に言えば、逆方向への電流（Ｌｏ３側からＬｏ２側に向かう電流）はダイオードＤ５により阻止される。
【００５６】
また、第一電力供給ラインＬｏ１には、抵抗Ｒ５を介してカバースイッチＳＷ２が接続されている。カバースイッチＳＷ２は、機械式の連係機構を介してフロントカバー１５に接続されていて、フロントカバー１５の開閉動作に連動してスイッチ動作する。この例では、フロントカバー１５が閉じている場合に、カバースイッチＳＷ２はオフ状態となり、フロントカバー１５が開いている場合、カバースイッチＳＷ２はオン状態となる。
【００５７】
図４に示すように、制御装置１００は、１つの入力ポートＰ１と、３つの出力ポートＰ２〜Ｐ４を備えている。入力ポートＰ１は、抵抗Ｒ５とカバースイッチＳＷ２の接続点に接続されている。カバースイッチＳＷ２は、フロントカバー１５が閉じている場合にはオフ状態となり、開いている場合にはオン状態となる。そのため、入力ポートＰ１のポートレベルは、カバー閉時にＨｉｇｈレベルとなり、カバー開時にＬｏｗレベルとなる。従って、制御装置１００は、入力ポートＰ１のポートレベルがＨｉｇｈ／Ｌｏｗのいずれであるかによって、フロントカバー１５の閉開を判断できる。
【００５８】
制御装置１００の出力ポートＰ２は、信号線を介して電圧安定化回路９０に接続されている。制御装置１００は出力ポートＰ２を通じてＬｏｗ／Ｈｉｇｈいずれの制御信号Ｓｒ１を出力するかにより、電圧安定化回路９０を出力／出力停止させることが可能であり、電源装置７０を通常出力モードと待機モードとに移行操作出来る（モード制御機能）。
【００５９】
尚、通常出力モードは、電圧安定化回路９０が出力状態となるモードであり、同モード中は第二電力供給ラインＬｏ２を通じて電装品６０やファンモータ２６に電源電圧２４Ｖで電力が供給される。また通信部６７ａ、画像メモリ６７ｂや制御装置１００には、第一電力供給ラインＬｏ１を通じて電源電圧３．３Ｖで電力が供給される。
【００６０】
また、待機モードは、電圧安定化回路９０が出力停止状態となるモードであり、同モード中は、電装品６０に対する電力供給はストップする。一方、通信部６７ａ、画像メモリ６７ｂや制御装置１００には、第一電力供給ラインＬｏ１を通じて電源電圧３．３Ｖで電力が供給される。また、ファンモータ２６には第三電力供給ラインＬｏ３を通じて電源電圧１２Ｖで電力が供給されるようになっている。
【００６１】
ここで、図５を参照して電圧安定化回路９０の一例を説明し、併せて回路９０の入切について説明する。電圧安定化回路９０はＦＥＴ９１と、平滑回路９３と、コンパレータ９５と、トランジスタＱ２と、トランジスタＱ３と、抵抗Ｒ７、Ｒ８などを備えた構成となっている。
【００６２】
ＦＥＴ９１は、ＰチャンネルのＭＯＳＦＥＴであり、ソースＳを入力側（出力トランス７３側）に接続し、ドレインＤを出力側（平滑回路９３側）に接続している。平滑回路９３はチョークコイルＬＣ１と、コンデンサＣ４と、ダイオードＤ６から構成されている。この平滑回路９３は、ＦＥＴ９１通過後の電圧波形を平滑化する。
【００６３】
また、ＦＥＴ９１のゲートＧには、抵抗Ｒ９を介してトランジスタＱ２のコレクタＣが接続されている。トランジスタＱ２は、ＮＰＮトランジスタであり、エミッタＥを共通ラインＬｃに接続している。また、トランジスタＱ２のベースＢは、抵抗Ｒ１０を介してコンパレータ９５の出力端子に接続されている。
【００６４】
コンパレータ９５のうち、プラス側の入力端子にはシャントレギュレータＲＥ２を介して基準電圧が与えられている。一方、マイナス側の入力端子は、第二電力供給ラインＬｏ２と共通ラインＬｃとの間に設けられた抵抗Ｒ７、Ｒ８の中間接続点に接続されている。
【００６５】
コンパレータ９５は、第二電圧Ｖ２が設定電圧２４Ｖを上回る場合にはＬｏｗレベルの出力となり、トランジスタＱ２及びＦＥＴ７５はいずれもオフする。これにより、ＦＥＴ９１のオン時間が短くなるため、電圧安定化回路９０の出力電圧は下降し、設定電圧である２４Ｖに向かう。一方、第二電圧Ｖ２が設定電圧２４Ｖを下回る場合には、その逆の動作となり、ＦＥＴ９１のオン時間が長くなる。そのため、出力電圧は上昇し、設定電圧である２４Ｖに向かう。これにより、フィードバックのかけられていない非安定な第二電圧Ｖ２を設定電圧２４Ｖに安定させることが出来る。
【００６６】
次に、トランジスタＱ３のベースには、制御装置１００の出力ポートＰ２より出力される制御信号Ｓｒ１が入力される構成となっている。トランジスタＱ３はＮＰＮトランジスタであり、コレクタＣをトランジスタＱ２のベースＢに接続する一方、エミッタＥを共通ラインＬｃに接続している。
【００６７】
このトランジスタＱ３は、制御信号Ｓｒ１としてＨｉｇｈレベルの信号が入力されている時には、オンして、トランジスタＱ２のベースの電位をゼロボルトにする。以上のことから、トランジスタＱ３がオンしている間は、ＦＥＴ９１がオフ状態となり、電圧安定化回路９０は出力停止状態となる。一方、制御信号Ｓｒ１としてＬｏｗレベルの信号が入力されている間は、オフ状態となる。そのため、電圧安定化回路９０は出力状態となる
【００６８】
図４に戻って説明を続けると、制御装置１００の出力ポートＰ３は信号線を介して電装品６０に接続されている。出力ポートＰ３は各電装品６０に対して個別（１対１の対応関係になっている）に設けられている。そして、制御装置１００は各出力ポートＰ３を通じて各電装品６０に制御信号Ｓｒ２を出力することで、各電装品６０を個別に制御する（電装品制御機能）。
【００６９】
また、制御装置１００の出力ポートＰ４は、第三電力供給ラインＬｏ３に設けられたトランジスタＱ１のベースに対してドライブ回路１２０を介して接続されている。制御装置１００は、出力ポートＰ４を通じて制御信号Ｓｒ３を出力することで、ドライブ回路１２０を介してトランジスタＱ１のオンオフを切り換える。これにより、第三電力供給ライン（ファンモータ２６に対する通電路）Ｌｏ３を通電状態と非通電状態に切り換え制御できる（通電制御機能）。
【００７０】
このように、制御装置１００は、電源装置７０のモード制御機能と、プリンタ１の電装品６０を制御する電装品制御機能と、ファンモータ２６に対する通電を制御する通電制御機能とを担っている。
【００７１】
３．電源システムＳの動作説明
（３−１）ＡＣ電源７０Ａの投入から通常出力モードへの移行
電源スイッチＳＷ１（図３参照）が投入されると、入力ラインＬｉｎに対して、交流電圧を整流平滑化した入力電圧Ｖｉｎが印加される。これにより、制御ＩＣ８０の高電圧入力ポートＶＨに入力電圧Ｖｉｎが印加され、制御ＩＣ８０は起動する。
【００７２】
制御ＩＣ８０は起動後、ＦＥＴ７５のゲートＧに対するオンオフ信号（ＰＷＭ信号）の出力を開始する。これにより、ＦＥＴ７５がオン、オフを繰り返す状態になるので、出力トランス７３の一次側が発振を開始し、出力トランス７３の二次側に電圧Ｖ１、Ｖ２が誘起される（発振開始）。
【００７３】
そして、制御ＩＣ８０はオンオフ信号の出力開始からいわゆるソフトスタート制御を実行する。そのため、出力トランス７３の出力電圧はゆっくりと上昇してゆく。そして、出力トランス７３の出力が所定レベルを超えると、制御ＩＣ８０はフィードバック制御に切り換え、それ以降はフィードバックポートＦＢに入力されるフィードバック信号に基づいたＰＷＭ出力を行う。
【００７４】
以上のことから、出力トランス７３は、第一電圧Ｖ１が「３．３Ｖ」の出力になるように出力制御される。また、制御装置１００は、通常出力モード中、Ｌｏｗレベルの制御信号Ｓｒ１を出力して、電圧安定化回路９０を出力状態とする。そのため、出力トランス７３の第二電圧Ｖ２は、電圧安定化回路９０により、設定電圧２４Ｖに出力制御される。
【００７５】
この通常出力モードでは、電源装置７０によってプリンタ１の各部品に電力供給される。すなわち、通信部６７ａ、画像メモリ６７ｂ及び制御装置１００には、第一電力供給ラインＬｏ１を通じて、出力トランス７３から電力が供給される（電源電圧３．３Ｖ）。また、電装品６０には、第二電力供給ラインＬｏ２を通じて、出力トランス７３から電力が供給される（電源電圧２４Ｖ）。従って、プリンタ１は印刷可能な状態、すなわち、ＰＣ等の情報端末装置から印刷指示を受信し、印刷指示に応じた印刷処理を実行できる状態となる。
【００７６】
また、制御装置１００は、通常出力モード中、出力ポートＰ４から制御信号（オン用の制御信号）Ｓｒ３を出力し、ドライブ回路１２０を介して、第三電力供給ラインＬｏ３上のトランジスタＱ１をオンする。そのため、第三電力供給ラインＬｏ３は通電状態となる。以上のことから、ファンモータ２６には、第二電力供給ラインＬｏ２、接続ラインＬａ、第三電力供給ラインＬｏ３を通じて電力が供給される（電源電圧２４Ｖ）。そのため、通常出力モード中、排気ファン２５は定格速度にて回転し、定着器２０など各電装品６０で発生する熱、帯電器５０Ｂ〜５０Ｃで発生するオゾンなどを外部に排出する。
【００７７】
（３−２）通常出力モードから待機モードへの移行
制御装置１００は、通常出力モード時において、電源スイッチＳＷ１の投入後のウォーミングアップ動作完了、印刷処理終了、またはプリンタ１に設けられた操作部（図示せず）のユーザによる操作終了を契機として印刷指示や操作部操作の待ち時間を、タイマ１１０を使って計測しており、待ち時間が設定時間に達すると、電源装置７０のモードを通常出力モードから待機モードに移行させる。
【００７８】
具体的には、制御装置１００は、出力ポートＰ２よりＨｉｇｈレベルのモード制御信号Ｓｒ１を出力する。すると、電圧安定化回路９０のトランジスタＱ３がオンする。これにより、電源装置７０のうち、電圧安定化回路９０は出力を停止するため、電装品６０に対する電力供給が停止する。
【００７９】
一方、この待機モード中、出力トランス７３は発振状態にあって、出力を行う。そのため、通常出力モードと同様に、制御装置１００や通信部６７ａ、画像メモリ６７ｂには、第一電力供給ラインＬｏ１を通じて、電力が供給される（電源電圧３．３Ｖ）。以上のことから、待機モード中、プリンタ１は、通信処理や通信処理にて受信した印刷データを画像メモリ６７ｂに書き込む処理は可能なものの、電装品６０は全停止する。
【００８０】
また、制御装置１００は、待機モード中、出力ポートＰ４から制御信号（オン用の制御信号）Ｓｒ３を出力し、ドライブ回路１２０を介して、第三電力供給ラインＬｏ３上のトランジスタＱ１をオンする。そのため、第三電力供給ラインＬｏ３は通電状態となる。以上のことから、ファンモータ２６には、第三電力供給ラインＬｏ３通じて電力が供給される。そして、第三電力供給ラインＬｏ３には、ツェナーダイオードＺＤ２が設けてある。そのため、ファンモータ２６には、３２Ｖの第二電圧Ｖ２を２０Ｖ降圧した１２Ｖにて、電力が供給される。従って、ファンモータ２６には定格電圧２４Ｖの約半分の電圧しか加わらないから、待機モード中、排気ファン２５は定格速度の約半分の速度で回転し、定着器２０の発生する熱を排出する。
【００８１】
そして、制御装置１００は、待機モードへの移行後、予め設定された設定時間（電装品の発生する熱の排気完了が見込まれる時間）が経過したら、出力ポートＰ４から制御信号（オフ用の制御信号）Ｓｒ３を出力し、ドライブ回路１２０を介して、トランジスタＱ１をオフさせる。これにより、第三電力供給ラインＬｏ３は非通電となるので、排気ファン２５は停止する。
【００８２】
（３−３）待機モードから通常出力モードへの移行
制御装置１００は、待機モードに移行すると、通信の有無や、操作部操作の有無を監視する状態となる。そして、通信部６７ａが情報端末装置から印刷指示を受けて印刷データを受信するか、印刷指示や操作部操作がなされると、出力ポートＰ２よりＬｏｗレベルの制御信号Ｓｒ１を出力する。すると、電圧安定化回路９０のトランジスタＱ３はオフする。これにより、電圧安定化回路９０は、出力停止状態から出力状態に戻ることから、電源装置７０は通常出力モードに復帰する。
【００８３】
（３−４）フロントカバー開放に伴う電装品の電力遮断
通常出力モード中に、フロントカバー１５が開くと、カバースイッチＳＷ２が開状態から閉状態に切り換る。そして、カバースイッチＳＷ２の切り換りに伴って、制御装置１００の入力ポートＰ１のポートレベルが「Ｈｉｇｈ」レベルから「Ｌｏｗ」レベルに切り換る。
【００８４】
制御装置１００は、入力ポートＰ１のポートレベルを定期的にチェックしており、入力ポートＰ１のポートレベルが「Ｌｏｗ」レベルに切り換ることを条件に、出力ポートＰ２より「Ｈｉｇｈ」レベルのモード制御信号Ｓｒ１を出力する。すると、トランジスタＱ３がオンして、電圧安定化回路９０は出力を停止するため、電装品６０に対する電力供給が停止する。このようにフロントカバー１５が開くと、それに伴って電力供給が停止し、プリンタ１の各電装品（２４Ｖ系の部品）は停止する。
【００８５】
また、フロントカバー１５が開いている期間中、出力トランス７３は発振状態にあって出力を行う。そのため、制御装置１００や通信部６７ａ、画像メモリ６７ｂには、第一電力供給ラインＬｏ１を通じて、電力が供給される（電源電圧３．３Ｖ）。
【００８６】
そして、制御装置１００は、フロントカバー１５が開いている期間中、出力ポートＰ４から制御信号（オン用の制御信号）Ｓｒ３を出力し、ドライブ回路１２０を介して、第三電力供給ラインＬｏ３上のトランジスタＱ１をオンする。
【００８７】
そのため、第三電力供給ラインＬｏ３は通電状態となる。以上のことから、ファンモータ２６には、第三電力供給ラインＬｏ３通じて電力が供給される。そして、第三電力供給ラインＬｏ３には、ツェナーダイオードＺＤ２が設けてあるので、ファンモータ２６は、電圧１２Ｖにて電力が供給される。従って、ファンモータ２６には定格電圧２４Ｖの約半分の電圧しか加わらないから、排気ファン２５は待機モード中と同様に、定格速度の約半分の速度で回転し、定着器２０の発生する熱を排出する。
【００８８】
そして、制御装置１００は、フロントカバー１５の開放検知後、予め設定された設定時間（電装品の発生する熱の排気完了が見込まれる時間）が経過したら、出力ポートＰ４から制御信号（オフ用の制御信号）Ｓｒ３を出力し、ドライブ回路１２０を介して、トランジスタＱ１をオフさせる。これにより、第三電力供給ラインＬｏ３は非通電となるので、排気ファン２５は停止する。
【００８９】
４．効果説明
以上説明したように、実施形態１では、通常モードから待機モードへの移行後、排気ファン２５を回転させ続けるようにした。また、フロントカバー１５の開放に伴って電装品６０への通電を強制停止させる場合にも、排気ファン２５を回転させ続けるようにした。そのため、待機モード中、及びフロントカバー１５の開放時に、熱源となる電装品（特に、定着器２０のヒータ）の熱が本体ケーシング１０内に広がって、プリンタ１の温度を上昇することを抑制できる。
【００９０】
また、実施形態１では、電装品６０への通電路（第二電力供給ラインＬｏ２）と、排気ファン２５への通電路（第三電力供給ラインＬｏ３）を個別に設けてあり、しかも、電装品６０への通電路となる第二電力供給ラインＬｏ２を電圧安定化回路９０の出力端子から引き出し、排気ファン２５への通電路となる第三電力供給ラインＬｏ２を電圧安定化回路９０の入力端子から引き出している。
【００９１】
そのため、電圧安定化回路９０の停止により、排気ファン２５への通電を活かしたまま、電装品６０への通電だけを停止できる。すなわち、従来回路では、電装品６０に対する通電路の通電／非通電の切り換えをインタロックスイッチが行っていたのに対し、本実施形態の回路では、それを電圧安定化回路９０が果たしている。このように電圧安定化回路９０をスイッチとして利用していることから、インタロックスイッチを廃止可能となった。尚、この実施形態でも、例えば、フロントカバー１５の開放検知用にカバースイッチＳＷ２を設けているが、こうした検知スイッチは、通電路を入り切りするインタロックスイッチに比べ、小型のスイッチで済む。よって、カバースイッチＳＷ２を新設したとしても、インタロックスイッチを廃止することが出来れば、回路の小型化が可能となり、またコストメリットが高い。
【００９２】
また、この実施形態では、通常出力モード中、排気ファン２５は、第二電力供給ラインＬｏ２を通じて電源電圧２４Ｖで電力供給され定格速度で回転する（換気性能大）。以上のことから、電装品６０の発熱量が高い通常出力モード中は、電装品６０の発する熱を、本体ケーシング１０の外へ速やかに排気できる。
【００９３】
一方、待機モード中やフロントカバー１５の開放時、排気ファン２５は、第三電力供給ラインＬｏ３を通じて電源電圧１２Ｖで電力供給され半速（定格速度の約半分の速度）で回転する（換気性能中）。このようにすることで、電装品６０の発熱量が中程度となる待機モード中やフロントカバー１５の開放時、排気ファン２５は電装品６０の発する熱量に応じた換気性能を発揮して、電装品６０の発する熱を、本体ケーシング１０の外へ排気する。またフロントカバー１５の開放時には、モータ音が響き易くなる。この点、本例では、フロントカバー１５の開放時、ファンモータ２６を半速で回転させるようにしているから、モータ音が周辺に響いて、耳障りになることを抑制できる。
【００９４】
また、この実施形態では、第三電力供給ラインＬｏ３上にトランジスタＱ１を設けてあり、待機モード中やフロントカバー１５の開放に伴って電装品６０への通電を強制停止させた場合、予め設定された設定時間（熱排気完了が見込まれる時間）が経過したら、トランジスタＱ１をオフして、排気ファン２５を停止させるようにしている。
【００９５】
このように、排気ファン２５を、設定時間だけ駆動させるようにしているから、熱排気が完了した後に、排気ファン２５が回転し続けるものと比較して、無駄な電力の消費がなく省電力化できる。
【００９６】
また、実施形態１では、トランジスタＱ１から見て接続ラインＬａをツェナーダイオードＺＤ２側（電源装置７０側）に設けた。そのため、電圧安定化回路９０の出力中であっても、トランジスタＱ１をオフすれば、排気ファン２５への通電をストップできる。そのため、電圧安定化回路９０の出力中、例えば、熱源となる電装品（例えば、ヒータ２２）が作動していないのにも拘わらず、絶えず排気ファン２５が通電状態になるものに比べて、電力消費を抑えることが可能となる。
【００９７】
＜実施形態２＞
次に、本発明の実施形態２を図７によって説明する。
実施形態２の電源システムＳは、実施形態１の電源システムＳと同じ回路構成である。実施形態２の電源システムＳでは、待機モード中又はフロントカバー１５の開放時において、予め設定された設定時間後に停止させた排気ファン２５を半速で再駆動させる場合に、制御装置１００に対して以下に説明する始動シーケンスを実行させるようにしたものである。尚、排気ファン２５を半速で再駆動させるケースとしては、例えば、ファン停止時に熱の排気が不十分であったり、ファン停止後に熱源となる電装品６０が作動した場合などが挙げられる。
【００９８】
始動シーケンスの説明を行うと、まずシーケンスの開始当初、電圧安定化回路９０とトランジスタＱ１は共にオフ状態にある（時刻ｔ１）。その後、制御装置１００は、出力ポートＰ２からＬｏｗレベルの制御信号Ｓｒ１を出力して電圧安定化回路９０を先に出力状態にする（時刻ｔ２）。
【００９９】
その後、制御装置１００は、出力ポートＰ４から制御信号Ｓｒ３を出力し、ドライブ回路１２０を介して、オフ状態にあるトランジスタＱ１をオン状態に切り換える（時刻ｔ３）。これにより、排気ファン２５に対して、第二電力供給ラインＬｏ２、ダイオードＤ２、トランジスタＱ１を通じて始動電流が流れる。これにより、排気ファン２５が定格速度で始動する。
【０１００】
そして、排気ファン２５が定格速度で始動すると、次に制御装置１００は出力ポートＰ２からＨｉｇｈレベルの制御信号Ｓｒ１を出力して電圧安定化回路９０を出力停止状態にする（時刻ｔ４）。これにより、排気ファン２５に対する電力供給経路が第二電力供給ラインＬｏ２側から第三電力供給ラインＬｏ３側に切り換わる。そのため、電力供給ラインの切り換り後、排気ファン２５には、第三電力供給ラインＬｏ３を通じて電源電圧１２Ｖで電力供給される。よって、排気ファン２５は、定格速度の約半分の速度で回転する。
【０１０１】
このように、始動シーケンスの実行により第二電力供給ラインＬｏ２側から始動電流を流せば（具体的には、図７中の期間Ｔ１だけ始動電流を流している）、ツェナーダイオードＺＤ２に電流値の大きな始動電流が流れない。そのため、定格電力の低いツェナーダイオードＺＤ２を使用できる。
【０１０２】
＜実施形態３＞
次に、本発明の実施形態３を図８によって説明する。
実施形態１では、電源システムＳの一例として、接続ラインＬａを、トランジスタＱ１から見て、ツェナーダイオードＺＤ２側に設けたものを示した。実施形態２の電源システムＳは、実施形態１の電源システムＳに対して、接続ラインＬａの位置を変更したものであり、それ以外の回路構成は実施形態１と同じとなっている。
【０１０３】
実施形態３の電源システムＳは、図８に示すように、接続ラインＬａを、トランジスタＱ１から見てファンモータ２６側（負荷側）に設けている。そして接続ラインＬａ上には、ダイオードＤ５が設けられている。ダイオードＤ５は、アノードを第二電力供給ラインＬｏ２側に接続し、カソードを第三電力供給ラインＬｏ３側に接続している。
【０１０４】
このように、接続ラインＬａを、トランジスタＱ１から見て、ファンモータ２６側（負荷側）に設けておけば、始動電流（排気ファン２５を始動させる始動電流）がトランジスタＱ１に流れない。そのため、トランジスタＱ１として、定格電流の小さいトランジスタを使用することが可能となる。また、実施形態３の電源システムＳに対して実施形態２の始動シーケンスを適用することが可能である。そして、始動シーケンスの適用により、実施形態３の電源システムＳにおいても、定格電力の低いツェナーダイオードＺＤ２を使用できるという効果が得られる。
【０１０５】
＜他の実施形態＞
本発明は上記記述及び図面によって説明した実施形態に限定されるものではなく、例えば次のような実施形態も本発明の技術的範囲に含まれる。
【０１０６】
（１）実施形態１〜実施形態３では、電子写真式のプリンタを例示したが、インクジェット式のプリンタへの適用も可能である。
【０１０７】
（２）実施形態１〜実施形態３では、半導体スイッチング素子としてＦＥＴ（電界効果トランジスタ）を例示したが、バイポーラトランジスタを使用してもよい。
【０１０８】
（３）実施形態１〜実施形態３では、制御装置１００に対して電源装置７０のモード制御機能と、プリンタ１の電装品６０を制御する電装品制御機能と、ファンモータ２６に対する通電を制御する通電制御機能の３つの制御機能を兼用させたものを例示した。制御装置１００は、電源装置７０のモード制御機能と、ファンモータ２６に対する通電を制御する通電制御機能の両制御機能を担うものであればよく、プリンタ１の電装品６０を制御する電装品制御機能については、それ専用に制御装置を設けて制御を行うようにしてもよい。すなわち、本発明との関係で言えば、電源用制御装置と主制御装置を別の構成にしてもよい。
【０１０９】
（４）実施形態１〜実施形態３では、電装品６０に対する電力供給ラインＬｏ２と、ファンモータ２６に対する電力供給ラインＬｏ３をそれぞれ専用ラインとして別々に設けると共に、それら２つの電力供給ラインＬｏ２、Ｌｏ３を接続ラインＬａにて接続した回路例を示した。本電源システムＳは、電装品６０に対する電力供給ラインＬｏ２と、ファンモータ２６に対する電力供給ラインＬｏ３を専用ラインとして設ける回路構成であればよく、図９に示すように、接続ラインＬａを廃止する回路構成にすることが可能である。また、第三電力供給ラインＬｏ３上に設けたツェナーダイオードＺＤ２も、モータ音を考慮しなければ、これを廃止するが可能である。
【０１１０】
また、ツェナーダイオードＺＤ２を設ける場合において、降伏電圧の大きさは、実施形態にて挙げた２０Ｖに限定されるものではない。すなわち、待機モード時、フロントカバー開時において、第二電圧Ｖ２を設定電圧２４Ｖ以下の電圧に降圧することが出来ればよい。この例では、待機モード時、フロントカバー開時の第二電圧Ｖ２は３２Ｖであるから、降伏電圧の大きさは、少なくとも８Ｖ以上であればよい。
【符号の説明】
【０１１１】
１…プリンタ（本発明の「画像形成装置」の一例）
１０…本体ケーシング（本発明の「筐体」の一例）
１５…フロントカバー（本発明の「開閉カバー」の一例）
２５…排気ファン（本発明の「ファン」の一例）
２６…ファンモータ
６０…電装品
７０…電源装置
７１…整流平滑回路
７３…出力トランス
７５…ＦＥＴ（本発明の「半導体スイッチング素子」の一例）
７７…整流平滑回路
７９…電圧検出回路
８０…制御ＩＣ（本発明の「スイッチ制御部」の一例）
９０…電圧安定化回路
１００…制御装置（本発明の「主制御装置」、「電源用制御装置」の一例）
Ｌｏ１…第一電力供給ライン
Ｌｏ２…第二電力供給ライン
Ｌｏ３…第三電力供給ライン
Ｌａ…接続ライン
ＴＰ…タップ
Ｑ１…トランジスタ（本発明の「切換スイッチ」の一例）
Ｓ…電源システム
ＺＤ２…ツェナーダイオード（本発明の「降圧素子」の一例）
Ｖ１…第一電圧
Ｖ２…第二電圧
【図１】
2012141408.tif 000003
【図２】
2012141408.tif 000004
【図３】
2012141408.tif 000005
【図４】
2012141408.tif 000006
【図５】
2012141408.tif 000007
【図６】
2012141408.tif 000008
【図７】
2012141408.tif 000009
【図８】
2012141408.tif 000010
【図９】
2012141408.tif 000011